(57)【要約】【課題】試着室内の領域などの特定の領域での衣類や肌などの見え方を、適切に調整できるようにする。【解決手段】発光装置は、複数の面発光部１０と、複数の面発光部１０を制御する発光制御部と、を備える。複数の面発光部１０は、人（ユーザ４）が出入り可能な領域３０に向けて配置されている。発光制御部は、複数の面発光部１０の各々が指定された指定条件に応じた発光態様で発光するように複数の面発光部１０を制御する。面発光部１０は、少なくとも領域３０の底面を含む複数の面に沿ってそれぞれ配置されている。【選択図】図１
2014116245.tif 000002
【特許請求の範囲】
【請求項１】
人が出入り可能な領域に向けて配置された複数の面発光部と、
前記複数の面発光部の各々が指定された指定条件に応じた発光態様で発光するように、前記複数の面発光部を制御する発光制御部と、
を備え、
前記面発光部は、少なくとも前記領域の底面を含む複数の面に沿ってそれぞれ配置されている発光装置。
【請求項２】
前記発光制御部は、前記複数の面発光部のうちの少なくとも何れか１つの面発光部の発光の明るさを前記指定条件に応じて制御する請求項１に記載の発光装置。
【請求項３】
前記発光制御部は、前記複数の面発光部のうちの少なくとも何れか１つの面発光部の発光スペクトルを前記指定条件に応じて制御する請求項１又は２に記載の発光装置。
【請求項４】
前記発光制御部は、前記複数の面発光部のうちの２つ以上を互いに異なる明るさで発光させる制御を行う請求項２の何れか一項に記載の発光装置。
【請求項５】
前記発光制御部は、前記複数の面発光部のうちの２つ以上を互いに異なる発光スペクトルで発光させる制御を行う請求項３に記載の発光装置。
【請求項６】
ユーザによる前記指定条件の入力を受け付ける入力部を備え、
前記発光制御部は、前記入力部に入力された前記指定条件に応じて前記複数の面発光部の発光態様を制御する請求項１〜５の何れか一項に記載の発光装置。
【請求項７】
前記複数の面発光部の指定条件を取得する取得部を備え、
前記発光制御部は、前記取得部が取得した前記指定条件に応じて前記複数の面発光部の発光態様を制御する請求項１〜５の何れか一項に記載の発光装置。
【請求項８】
前記指定条件と、屋外の風景の画像と、を対応付けて記憶する画像記憶部を備え、
前記発光制御部は、指定された前記指定条件と対応する画像を前記画像記憶部から取得し、当該取得した画像を前記複数の面発光部のうちの少なくとも何れか１つの面発光部に表示させる請求項１〜７の何れか一項に記載の発光装置。
【請求項９】
前記領域の温度を調節する空調機構と、
前記空調機構を制御する温度制御部と、
前記指定条件と、温度と、を対応付けて記憶する温度記憶部と、
を更に備え、
前記温度制御部は、指定された前記指定条件と対応する温度を前記温度記憶部から取得し、前記領域が当該取得した温度となるように前記空調機構を制御する請求項１〜８の何れか一項に記載の発光装置。
【請求項１０】
前記領域は、４つの側面と、天面と、底面と、の合計６つの面に囲まれた直方体の内側の領域であり、
前記面発光部は、前記６つの面のうち、少なくとも前記底面を含む５つ以上の面に沿って、それぞれ配置されている請求項１〜９の何れか一項に記載の発光装置。
【請求項１１】
前記底面と、前記天面と、前記４つの側面のうち３つ以上と、に沿って前記面発光部がそれぞれ配置され、
前記発光制御部は、前記底面と前記天面とに沿ってそれぞれ配置された前記面発光部によって前記領域内を照明させ、前記側面に沿ってそれぞれ配置された前記面発光部に画像を表示させる請求項１０に記載の発光装置。
【発明の詳細な説明】
【技術分野】
【０００１】
本発明は、発光装置に関する。
【背景技術】
【０００２】
一般的な試着室には、鏡（姿見）の他、室内を照明する蛍光灯などの照明器具が設けられている場合がある。
【０００３】
なお、特許文献１には、鏡と、鏡の周辺部に複数配置された電球と、を有するメイクアップ用ケースについて記載されている。
【先行技術文献】
【特許文献】
【０００４】
【特許文献１】特開２００３−１３５１４５号公報
【発明の概要】
【発明が解決しようとする課題】
【０００５】
本発明者は、一般的な試着室には、以下に説明する問題があると考えた。
一般的な試着室に設置された蛍光灯等の照明器具は、上方などの特定の方向から、試着室内のユーザを照らす。また、一般的な試着室に設置された照明器具は、蛍光灯等の特定のスペクトラムの光を照射するものである。このため、一般的な試着室では、衣類や肌は、実際に衣類を着用する環境とは異なる見え方となる場合が多い。このため、試着を行うユーザは、実際に衣類を着用する環境での見え方を考慮して衣類を選択することが困難である。
【０００６】
本発明が解決しようとする課題としては、試着室内の領域などの特定の領域での衣類や肌などの見え方を、適切に調整できるようにすることが一例として挙げられる。
【課題を解決するための手段】
【０００７】
請求項１に記載の発明は、人が出入り可能な領域に向けて配置された複数の面発光部と、
前記複数の面発光部の各々が指定された指定条件に応じた発光態様で発光するように、前記複数の面発光部を制御する発光制御部と、
を備え、
前記面発光部は、少なくとも前記領域の底面を含む複数の面に沿ってそれぞれ配置されている発光装置である。
【図面の簡単な説明】
【０００８】
【図１】実施形態に係る発光装置の模式的な斜視図である。
【図２】実施形態に係る発光装置のブロック図である。
【図３】実施例に係る発光装置のブロック図である。
【図４】実施例に係る発光装置の模式的な斜視図である。
【図５】図５（ａ）は実施例に係る発光装置の操作端末の第１例を示す正面図、図５（ｂ）は実施例に係る発光装置の操作端末の第２例を示す正面図である。
【図６】面発光部が有機ＥＬ素子である場合の面発光部の構造の一例を示す断面図である。
【図７】有機機能層の層構造の第１例を示す断面図である。
【図８】有機機能層の層構造の第２例を示す断面図である。
【図９】図９（ａ）〜（ｄ）は操作端末に対する一連の操作の例を説明するための図である。
【図１０】図１０（ａ）は有機ＥＬ素子の赤、緑および青の発光スペクトルの例を示す図であり、図１０（ｂ）は図１０（ａ）に示す３色の発光スペクトルを合成して得られる発光スペクトルを示す図である。
【図１１】晴れの日の光スペクトルの生成の仕方の例を説明するための図である。
【図１２】曇りの日の光スペクトルの生成の仕方の例を説明するための図である。
【図１３】蛍光灯の光スペクトルの生成の仕方の例を説明するための図である。
【図１４】白熱灯の光スペクトルの生成の仕方の例を説明するための図である。
【図１５】夕日の光スペクトルの生成の仕方の例を説明するための図である。
【図１６】図１６（ａ）は基本スペクトルに対する各光スペクトルにおける各色の光量の重み付け（比率）を示す図である。図１６（ｂ）は各種の光スペクトルを生成するための各色の光量の重み付け等を示す図である。
【図１７】図１７（ａ）は有機ＥＬ素子の赤、黄、緑、青緑および青の発光スペクトルの例を示す図であり、図１７（ｂ）は図１７（ａ）に示す５色の発光スペクトルを合成して得られる発光スペクトルを示す図である。
【図１８】インターネットから取得される天気情報の例を示す図である。
【発明を実施するための形態】
【０００９】
以下、実施の形態について、図面を用いて説明する。尚、すべての図面において、同様の構成要素には同一の符号を付し、適宜説明を省略する。
【００１０】
図１は実施形態に係る発光装置の模式的な斜視図、図２は実施形態に係る発光装置のブロック図である。この発光装置は、複数の面発光部１０と、複数の面発光部１０を制御する発光制御部２０（図２）と、を備える。複数の面発光部１０は、人（ユーザ４）が出入り可能な領域３０に向けて配置されている。発光制御部２０は、複数の面発光部１０の各々が指定された指定条件に応じた発光態様で発光するように複数の面発光部１０を制御する。面発光部１０は、少なくとも領域３０の底面を含む複数の面に沿ってそれぞれ配置されている。以下、詳細に説明する。
【００１１】
一例として、領域３０は、試着室内の領域であることが挙げられる。試着室は、例えば、床（底面）と、四方の壁（４つの側面）と、天井（天面）（何れも図示略）を有する直方体の箱形に形成されている。例えば、何れか１つの壁には、人が試着室内に出入りするための扉（図示略）が取り付けられている。この場合、領域３０は、床、壁、扉および天井に囲まれた領域である。
或いは、試着室の４つの側面のうちの１つは、人が試着室内に出入りできるように開口しており、その開口には、試着室内を外部から遮蔽するためのカーテンが設けられていても良い。この場合、領域３０は、それら床、壁、カーテンおよび天井に囲まれた領域である。
【００１２】
このように、領域３０は、例えば、４つの側面と、天面と、底面と、の合計６つの面に囲まれた直方体の内側の領域である。複数の面発光部１０には、少なくとも、領域３０の底面に沿って配置された面発光部１０ａが含まれる。図１には、面発光部１０として、他に、領域３０の天面に沿って配置された面発光部１０ｂと、領域３０の左側面に沿って配置された面発光部１０ｃと、領域３０の右側面に沿って配置された面発光部１０ｄと、領域３０の前側の側面に沿って配置された面発光部１０ｅと、領域３０の後側の側面に沿って配置された面発光部１０ｆと、を示している。ただし、面発光部１０ｂ〜面発光部１０ｆのうちの何れか１つは省略しても良い。このように、面発光部１０は、例えば、領域３０を囲む６つの面のうち、少なくとも底面を含む５つ以上の面に沿って、それぞれ配置されている。各面発光部１０は、例えば、試着室の天井、床および側面にそれぞれ固定される。
【００１３】
例えば、試着室の１つの側面には鏡が設けられている場合が多い。このため、例えば、この１つの側面を除く５つの面に沿って、それぞれ面発光部１０を配置する。図１の例では、例えば、面発光部１０ｅを除く５つの面発光部１０を配置する。
ただし、試着室内における鏡の配置を省略して、試着するユーザを撮像装置で撮像するようにしても良い。この場合、６つの面の各々に沿って面発光部１０を配置することもできる。
【００１４】
発光制御部２０は、複数の面発光部１０の各々が指定された指定条件に応じた発光態様で発光するように、複数の面発光部１０を制御する。発光制御部２０は、例えば、実際に衣類を身に付ける状況（夏、冬、山、海、ビジネスシーン、フォーマルシーン、カジュアルシーン、その時々の天候）などの指定条件に応じた発光態様で発光するように、複数の面発光部１０を制御する。ここで、面発光部１０の発光態様の種類としては、指定条件に応じた画像表示（砂浜やゲレンデの画像表示など）を行う発光態様、時間（朝、昼、夕方、夜など）に応じた明るさや光スペクトルで発光させるといった発光態様、および、天候（晴れ、曇り、雨等）に応じた明るさや光スペクトルで発光させるといった発光態様などが挙げられる。
【００１５】
例えば、発光制御部２０は、複数の面発光部１０のうちの少なくとも何れか１つの面発光部１０の発光の明るさを指定条件に応じて制御する。
また、発光制御部２０は、複数の面発光部１０のうちの２つ以上を互いに異なる明るさで発光させる制御を行うことも好ましい。なお、発光制御部２０は、各面発光部１０の部分ごとに、互いに異なる明るさで発光させる制御を行っても良い。これにより、個々の面発光部１０について、その一部分のみを照明として機能させたりすることができる。
【００１６】
具体的には、例えば、領域３０の底面に沿って配置された面発光部１０ａの光量と、領域３０の天面に沿って配置された面発光部１０ｂの光量を、他の面発光部１０の光量よりも大きくすることにより、ゲレンデや砂浜での日光の照り返しを試着室内で再現することが可能である。このため、例えばスキーウエアや夏の海岸で着用されるような衣類について、雪や砂浜の照り返しを考慮して服選びをすることができる。なお、横方向（側方）からユーザに照射される光の光量を、他の方向から照射される光の光量よりも多くすることなども可能である。
【００１７】
或いは、発光制御部２０は、例えば、複数の面発光部１０のうちの少なくとも何れか１つの面発光部１０の発光スペクトルを指定条件に応じて制御する。これにより、面発光部１０の発光色を任意に調節することができるので、例えば試着室内を様々なスペクトルの照明光で照明することが可能となる。よって、ユーザは、例えば、実際に衣類を着用する状況にマッチする衣類を容易に選ぶことができる。
また、発光制御部２０は、複数の面発光部１０のうちの２つ以上を互いに異なる発光スペクトルで発光させる制御を行うことも好ましい。これにより、例えば、ユーザの周囲の発光態様をより現実に即したものとすることなどが可能である。
なお、発光制御部２０は、各面発光部１０の部分ごとに、互いに異なる発光スペクトルで発光させる制御を行っても良い。
【００１８】
ここで、指定条件に応じて面発光部１０の発光スペクトルを制御する場合、面発光部１０は、例えば、有機ＥＬ（Ｅｌｅｃｔｒｏ  Ｌｕｍｉｎｅｓｃｅｎｃｅ）素子とする。ただし、面発光部１０は、有機ＥＬ素子に限らない。例えば、面発光部１０は、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。
蛍光灯や白熱灯では発光スペクトルが固定であるため、発光スペクトルを自由に制御することはできない。しかし、有機ＥＬやＬＥＤは発光スペクトルを様々に制御することができるため、発光スペクトルを自由に制御することができる。
【００１９】
なお、指定条件の指定は、例えば、試着室で試着を行うユーザが何らかの操作を行うことによって実現することができる。或いは、指定条件は、衣類のタグから読み取られる情報に基づいて自動的に指定されるようにしても良い。
【００２０】
なお、ここでは、領域３０が試着室内の領域である例を説明したが、本実施形態に係る発光装置は、試着室の照明への適用に限らず、映画やドラマの撮影時の照明や、テーマパークなどにおけるショーの照明、舞台照明など、特殊な照明が必要とされる様々な用途に適用することができる。
【００２１】
以上、本実施形態によれば、発光制御部２０は、領域３０の周囲の複数の面に配置された面発光部１０の各々が指定された指定条件に応じた発光態様で発光するように、面発光部１０を制御する。これにより、試着室内の領域などの特定の領域での衣類や肌などの見え方を、適切に調整することができる。具体的には、例えば、試着室での衣類や肌などの見え方を、衣類を実際に使用する環境での見え方に近いものとすることなどが可能である。特に、複数の面発光部１０には、領域３０の底面に沿って配置された面発光部１０ａが含まれる。これにより、例えば、砂浜やゲレンデでの日光の照り返しを試着室内の領域などの特定の領域で再現することも可能である。
【００２２】
また、発光制御部２０が、複数の面発光部１０のうちの少なくとも何れか１つの面発光部１０の発光スペクトルを指定条件に応じて制御することにより、衣類および肌の色味の見え方を様々に調整することができる。例えば、実際に衣類を身に付ける環境下での衣類および肌の色味の見え方を再現することなどが可能である。
【００２３】
また、複数の面発光部１０のうちの少なくとも何れか１つの面発光部１０の発光の明るさを指定条件に応じて制御することによっても、衣類および肌の色味の見え方を様々に調整することができる。例えば、実際に衣類を身に付ける環境下での衣類および肌の色味の見え方を再現することなどが可能である。
【００２４】
また、発光制御部２０が、複数の面発光部１０のうちの２つ以上を互いに異なる明るさで発光させる制御を行うことにより、砂浜やゲレンデでの日光の照り返しなどをよりリアルに再現することなども可能である。
【００２５】
また、発光制御部２０が、複数の面発光部１０のうちの２つ以上を互いに異なる発光スペクトルで発光させる制御を行うことにより、ユーザの周囲の発光態様をより細かく調整することができる。このため、例えば、ユーザの周囲の発光態様をより現実に即したものとすることなどが可能である。
【００２６】
また、例えば、領域３０は、４つの側面と、天面と、底面と、の合計６つの面に囲まれた直方体の内側の領域であり、面発光部１０は、領域３０を囲む６つの面のうち、少なくとも底面を含む５つ以上の面に沿って、それぞれ配置されている。これにより、試着室内の領域などの直方体状の領域に居るユーザを適切な発光態様で照明することができる。
【実施例】
【００２７】
（実施例１）
図３は本実施例に係る発光装置のブロック図である。図４は本実施例に係る発光装置の模式的な斜視図である。
【００２８】
図３に示すように、この発光装置は、発光制御部２０および複数の面発光部１０の他に、制御部６０と、操作パネル（入力部）７０と、表示部８０と、インターネット通信部９１と、ＩＣリーダなどの近距離無線通信部（取得部）９２と、記憶部６１と、メモリーカードＩ／Ｆ（インターフェース）６２と、空調制御部（温度制御部）４１と、空調機構４０と、撮像部５０と、撮像部駆動機構５１と、を備えている。
【００２９】
各面発光部１０は、有機ＥＬ素子である。有機ＥＬ素子は、ＬＥＤや液晶表示装置と比べて薄型、軽量であるとともに、透光性基板１１０をフレキシブルな材料により構成することによって、自由に曲げられるようにすることができる。このため、面発光部１０の設置スペースは小さくて済むとともに、壁面への設置を容易に行うことができる。また、壁面に多少の凹凸があっても、その凹凸に沿わせて面発光部１０を配置することも可能である。さらに壁面が曲面等の作りであっても、壁の曲面に沿わせてフレキブルな有機ＥＬ照明を配置することが可能である。
【００３０】
各面発光部１０は、それぞれ、領域３０内を照明する照明部として機能したり、画像を表示する画像表示部として機能したりする。面発光部１０を照明部として用いる場合、個々の面発光部１０の全面を均一の明るさにしても良いし、個々の面発光部１０の一部分（図４の照明部１１、１２、１３等）を局所的に明るくして、この一部分のみを照明部として利用しても良い。面発光部１０に局所的な照明部１１、１２、１３を形成する場合、その形成位置は任意に変更できるようにしても良い。面発光部１０に局所的な照明部１１、１２、１３を形成する場合、面発光部１０における残りの部分を画像表示部として用いても良い。
【００３１】
操作パネル７０は、ユーザが各種の操作を行うためのものである。この操作の種類としては、撮像部５０を移動させる操作や、指定条件の入力操作などが含まれる。すなわち、発光装置は、例えば、ユーザによる指定条件の入力を受け付ける入力部を備える。そして、発光制御部２０は、入力部に入力された指定条件に応じて複数の面発光部１０の発光態様を制御する。
【００３２】
ここで、指定条件とは、例えば、「晴れの日」、「曇りの日」、「蛍光灯」、「白熱灯」、「夕日」、「スキー場」、「砂浜」などである。また、発光態様とは、晴れの日の光スペクトルに近い発光スペクトルでの発光、曇りの日の光スペクトルに近い発光スペクトルでの発光、蛍光灯の光スペクトルに近い発光スペクトルでの発光、白熱灯の光スペクトルに近い発光スペクトルでの発光、夕日の光スペクトルに近い発光スペクトルでの発光などである。発光態様には、他に、スキー場の光スペクトルに近い発光スペクトルで且つ雪面での照りかえしに近い向きでユーザを照射する発光や、砂浜の光スペクトルに近い発光スペクトルで且つ砂浜での照りかえしに近い向きでユーザを照射する発光などが含まれる。
【００３３】
表示部８０は、操作の入力画面などを表示する。表示部８０は、例えば、有機ＥＬ表示装置であることが挙げられるが、液晶表示装置その他の表示装置であっても良い。なお、表示部８０の表示画面は、タッチパネルとなっていて、操作パネル７０としての機能を兼ねても良い。
【００３４】
ここで、指定条件は、ユーザが入力するとは限らない。例えば、衣類に付されたＩＣタグ（タグ）４００に、この衣類と対応する指定条件が記憶されていて、この指定条件を近距離無線通信部９２が読み取ることによって取得しても良い。すなわち、発光装置は、例えば、複数の面発光部１０の指定条件を取得する取得部（近距離無線通信部９２）を備え、発光制御部２０は、取得部が取得した指定条件に応じて複数の面発光部１０の発光態様を制御するようになっていても良い。
【００３５】
ここで、衣類のＩＣタグ４００には、指定条件（「スキー場」、「砂浜」といった情報）そのものではなく、指定条件などを判定するための判定用情報（例えば、「スキーウエア」といった情報や、「水着」といった情報など）が記憶されていても良い。このように、取得部は、衣類に付されたタグから衣類と対応する指定条件を読み取るか、又は、衣類と対応する指定条件を判定するための判定用情報を衣類に付されたタグから読み取ることができる。
【００３６】
インターネット通信部９１は、ネットワーク３００と接続されており、インターネットを介して、各種の情報や画像を取得する。
【００３７】
空調機構４０は、領域３０内の温度および湿度を調節する機能を有している。空調制御部４１は、空調機構４０の動作制御を行う。記憶部６１又はメモリーカード５００は、各指定条件と、温度と、を対応付けて記憶している。すなわち、記憶部６１又はメモリーカード５００は、温度記憶部としての機能を兼ねる。そして、空調制御部（温度制御部）４１は、指定された指定条件と対応する温度を記憶部６１又はメモリーカード５００から取得し、領域３０が当該取得した温度となるように空調機構４０を制御する。図４に示すように、例えば、領域３０の上部には、下向きに空気を吹き出す空調機構４０が設けられ、領域３０の下部には、上向きに空気を吹き出す空調機構４０が設けられている。空気の吹き出し口を上下に配置する理由は、暖かい空気は下から上へ、冷たい空気は上から下に流れるのを利用して、領域３０内の温度を瞬時に変更できるようにするためである。なお、空調機構４０の吹き出し口の数は必要に応じて３つ以上にしたり、１つにしたりしても良い。
【００３８】
撮像部５０は、領域３０内を撮像するためのものである。撮像部５０は、図４の矢印Ａ方向（水平方向）や矢印Ｂ方向（上下方向）に移動可能となっている。撮像部駆動機構５１は、制御部６０の制御下で、撮像部５０を移動させる。これにより、試着したユーザを撮像するアングルを任意に調整できるようになっている。
【００３９】
制御部６０は、記憶部６１に記憶保持されている動作用プログラムに従い、表示部８０、インターネット通信部９１、近距離無線通信部９２、記憶部６１、メモリーカードＩ／Ｆ６２、発光制御部２０、空調制御部４１、撮像部５０および撮像部駆動機構５１を制御する。
【００４０】
図３に示す構成のうち、一部については、ユーザが試着室の壁から取り外して手持ち操作できる操作端末（リモートコントローラー）２００となっていても良い（図４参照）。
【００４１】
図５（ａ）および（ｂ）は、操作端末２００の構成例を示す正面図である。すなわち図５（ａ）は実施例に係る発光装置の操作端末２００の第１例を示す正面図、図５（ｂ）は実施例に係る発光装置の操作端末２００の第２例を示す正面図である。
【００４２】
図５（ａ）および（ｂ）に示すように、操作端末２００は、片手で持てるサイズの筐体２０１と、筐体２０１の前面側に設けられた表示部８０とを有する。図５（ａ）の例では、表示部８０は、例えば、タッチパネル式のものであり、操作パネル７０としての機能を兼ねる。図５（ｂ）の例では、表示部８０と操作パネル７０（タッチパネル）とが別に設けられている。操作パネル７０は、鏡としての機能を兼ねても良い。或いは、操作端末２００の裏面などに鏡を設けても良い。また、必要に応じて、筐体２０１の前面側に複数の撮像部２１０、２１１、２１２を設けても良い。
【００４３】
表示部８０は、例えば複数の表示領域に区分けされている。そして、各表示領域において、例えば真正面、右および左のそれぞれの方向から撮像部５０により撮像されたユーザの映像を表示することが可能となっていても良い。
【００４４】
表示部８０の各表示領域における映像の表示は、リアルタイムで随時更新されるようになっていても良い。或いは、撮像された画像を一旦記憶部６１に記憶保持し、その後、確認のために記憶部６１から読み出して各表示領域に表示できるようになっていても良い。後者の場合、複数の服を順次試着した後で、どの服が似合っているかを見比べて判断する場合などに便利である。
【００４５】
以下、面発光部１０の構成を説明する。
【００４６】
図６は面発光部１０が有機ＥＬ素子である場合の面発光部１０の構造の一例を示す断面図である。この場合、面発光部１０は、例えば、透光性基板１１０と、透光性の第１電極１３０と、有機機能層１４０と、第２電極１５０と、を有する。第１電極１３０は、透光性基板１１０の一方の面側（図６において下面側）に配置されている。有機機能層１４０は、第１電極１３０を基準として透光性基板１１０とは反対側（図６において下側）に配置されている。第２電極１５０は、有機機能層１４０を基準として第１電極１３０とは反対側（図６において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００４７】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面を構成していても良い。第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、Ａｌなどの金属膜からなる反射電極である。第２電極１５０は、有機機能層１４０から第２電極１５０側に向かう光を、透光性基板１１０側に向けて反射する。
【００４８】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光装置の外部（つまり上記光放出空間）に放射される（取り出される）。
【００４９】
なお、面発光部１０の発光色、すなわち発光スペクトル（発光する光の波長スペクトル）は特に限定しない。発光色を様々な色に変化させることができるような構造の面発光部１０を用いることが挙げられる。ただし、面発光部１０は常時白などの単色の発光色で発光するものであっても良い。また、面発光部１０は、複数の領域に分割されていて、各領域毎に異なる発光色が設定されていても良い。
【００５０】
以下、有機機能層１４０の層構造のより具体的な例を説明する。
【００５１】
図７は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００５２】
発光層１４３は、例えば赤色の光を発光する層、青色の光を発光する層、黄色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。また、赤色、緑色、青色の各領域の光量のバランスを調節することにより、様々な光スペクトルでの発光を行うことができる。換言すれば、様々な色の表示を行うことができる。赤色、緑色、青色の各領域の光量のバランスの調整は、発光制御部２０によって、各領域に印加する電流値を個別に制御することによって行う。また、発光制御部２０の制御下で、面発光部１０内の領域毎に、指定された色を表示することにより、面発光部１０にて所望の画像の表示を行うことができる。更に、発光制御部２０の制御下で、赤色、緑色、青色の各領域の光量を一括して変化させることなどにより、面発光部１０からの発光の光量（明るさ）を変化させることができる。
【００５３】
なお、発光層１４３は、複数の色を発光するための材料を混ぜることにより、白色等の単一の発光色で発光するように構成されていても良い。
【００５４】
図８は有機機能層１４０の層構造の第２例を示す断面図である。この有機機能層１４０の発光層１４３は、発光層１４３ａ，１４３ｂ，１４３ｃをこの順に積層した構成を有している。発光層１４３ａ，１４３ｂ，１４３ｃは、互いに異なる色の光（例えば赤、緑、及び青）を発光する。そして発光層１４３ａ，１４３ｂ，１４３ｃが同時に発光することにより、発光装置は白色等の単一の発光色で発光する。この場合、赤色、緑色、青色の各発光層１４３ａ，１４３ｂ，１４３ｃの光量のバランスを発光制御部２０の制御下で調整することにより、様々な光スペクトルでの発光（様々な色の表示）が可能である。また、発光制御部２０の制御下で、面発光部１０内の領域毎に、指定された色を表示することにより、面発光部１０にて所望の画像の表示を行うことができる。更に、発光制御部２０の制御下で、赤色、緑色、青色の各領域の光量を一括して変化させることなどにより、面発光部１０からの発光の光量を変化させることができる。
【００５５】
次に、動作を説明する。
【００５６】
図９（ａ）〜（ｄ）は図５（ａ）に示す操作端末２００に対する一連の操作の例を説明するための図である。
【００５７】
先ず、試着した状態のユーザが、試着室の壁から操作端末２００を取り外して、操作パネル７０に触れると、図９（ａ）に示すようなスタート画面が表示部８０に表示される。画面中央のスタートボタン８０ａが押されると、図９（ｂ）に示すような選択画面が表示部８０に表示される。例えば、自動ボタン８１、照明モードボタン８２などが表示される。このうち、照明モードボタン８２が押された場合、図９（ｃ）に示すような各種照明モードの選択画面が表示部８０に表示される。この選択画面には、例えば、晴、夕日、白熱灯、曇り、夜、蛍光灯など動作モードを選択するための照明モード選択ボタン１８１〜１８６が表示される。
【００５８】
例えば「晴」を選択するための照明モード選択ボタン１８１が押されると、制御部６０は、晴れた日の光スペクトルに近い発光スペクトルで面発光部１０が発光するように、発光制御部２０に指令を送る。発光制御部２０は、制御部６０の制御下で、複数の面発光部１０の発光態様を制御する。その結果、領域３０内のユーザに晴れた日の光スペクトルに近い光が照射される。これにより、試着している衣類を晴れた日に実際に着用しているかのような雰囲気を醸し出すことができる。
【００５９】
また、図９（ｂ）の画面において、例えば自動ボタン８１が押された場合、ユーザが照明モードを選択するのではなく、衣類のＩＣタグ４００に記憶された情報から自動的に指定条件を取得するようになっている。
【００６０】
記憶部６１又はメモリーカード５００は、各指定条件と、屋外の風景の画像と、を対応付けて記憶している。すなわち、記憶部６１又はメモリーカード５００は画像記憶部としての機能を兼ねる。そして、発光制御部２０は、指定された指定条件と対応する画像を記憶部６１又はメモリーカード５００から取得し、当該取得した画像を複数の面発光部１０のうちの少なくとも何れか１つの面発光部１０に表示させることができるようになっている。例えば、領域３０の３つ又は４つの側面の面発光部１０において、晴れた日の屋外の風景の画像を表示することができる。これにより、試着している屋外で実際に着用しているかのような雰囲気を醸し出すことができる。
【００６１】
領域３０の１つの側面に姿見が配置されている場合、ユーザはその姿見に映し出された自分自身を確認することにより、自分のファッションやメイク等が晴れた日の光の中でどのように視認されるのかを確認することができる。
【００６２】
また、このとき、例えば図９（ｄ）に示すように、表示部８０には、撮像部５０により撮像された画像を表示することができるようになっていても良い。すなわち、制御部６０の制御下で撮像部５０に撮像を行わせ、この撮像により得られた画像データに応じた画像表示を、制御部６０の制御下で表示部８０に行わせるようにすることができる。このようにすれば、ユーザは、手元の表示部８０を見ることによって、自分のファッションやメイク等が晴れた日の光の中でどのように視認されるのかを確認することができる。例えば、普段メガネを装用して行動するユーザが、試着時においてメガネを外した状態での姿を確認したいときに、姿見では視力の関係で自分の姿を十分確認できないような場合に有効である。さらに、複数の服を順次試着した後で、どの服が似合っているかを見比べて判断する場合などに便利である。また、スマートフォンなどの携帯情報通信端末に映像のデータを移植（登録）することにより、その映像を友人や家族と共有したり、後で自宅にてその映像を確認してから衣類の購買を発注したりすることなども可能である。
なお、他の方法としては、例えば、領域３０の側面の面発光部１０における風景の画像表示は行わず、予め記憶部６１に記憶保持されている風景の画像と、撮像部５０により撮像されたユーザの画像と、をはめ込み合成することにより得られた画像を表示部８０に表示するようにしても良い。さらに、実際に試着したユーザの顔と、そのユーザの友人や家族（実際には試着していない人：以下、第２ユーザという）の顔とを入れ替えることにより、あたかも第２ユーザが実際に試着したかのような映像を生成することも可能である。この場合、衣類に照射される照明と同じ照明が第２ユーザの顔にも照射されているように見せるために、第２ユーザの顔の映像に対して画像処理を施しても良い。
【００６３】
ここで、より具体的な例としては、例えば、領域３０の底面と、天面と、４つの側面のうち３つ以上と、に沿って面発光部１０をそれぞれ配置する。そして、発光制御部２０は、底面と天面とに沿ってそれぞれ配置された面発光部１０ａ、１０ｂによって領域３０を照明させ、側面に沿ってそれぞれ配置された面発光部１０（面発光部１０ｃ、１０ｄ、１０ｅ、１０ｆのうちの３つ以上）には画像を表示させる。これにより、上側の面発光部１０ｂからの光により、ユーザを照らす太陽の光を演出することができる。また、下側の面発光部１０ａからの光により、砂浜やゲレンデにおける照り返しの光を演出することができる。よって、ユーザに対して、照り返しを考慮したリアルな光照射を行うことができる。これにより、ユーザは、照り返しがある環境下での衣類や肌などの見え方を確認することができる。更に、ユーザの周囲の面発光部１０（面発光部１０ｃ、１０ｄ、１０ｅ、１０ｆのうちの３つ以上）に画像（指定条件と対応する屋外の風景の画像等）を表示することにより、表示される画像の中での衣類や肌などの見え方をユーザが確認できる。それと同時に、実際の風景の中に佇んでいるような臨場感をユーザに与えて、ユーザの購買意欲を高めることもできる。
【００６４】
また、試着時に、空調機構４０の吹き出し口より、夏ならば暖かい空気を、冬ならば冷たい空気を、それぞれユーザに吹き付けることも有効である。すなわち、季節に応じた外気温と対応する温度の空気を吹き出すように、空調制御部４１が制御部６０の制御下で空調機構４０を制御するようにしても良い。さらには、吹き出し口より吹き出される空気の湿度についても、季節に応じた湿度となるように、空調制御部４１が制御部６０の制御下で空調機構４０を制御するようにしても良い。このようにすることにより、ユーザは、試着している衣類の、暖かさや涼しさ、蒸れ難さといった、視覚的ではない機能的な価値を試着時に知ることができる。なお、一般的な試着室の温度は快適な２０度程度の温度となっていることが多い。このため、一般的な試着室では、真冬や真夏に着る服を試着するには暖かすぎたり涼しすぎたりして、そのような機能的な価値をユーザが適切に判断することが困難である。
【００６５】
以下、面発光部１０が有機ＥＬ素子である場合の、面発光部１０の発光態様の制御の手法の例について説明する。
【００６６】
衣類や人の肌の色は、太陽光の下、蛍光灯の下、夕日が当たる場所等の様々な環境下で照射される光線の種類により、見え方が異なる。その理由は、環境に応じて光線の光スペクトラムが異なるからである。そこで、以下では、様々な環境に応じた光スペクトルの生成の仕方の具体例について説明する。
【００６７】
図１０（ａ）は有機ＥＬ素子の赤の発光スペクトル（スペクトル曲線Ｌ１０）、緑の発光スペクトル（スペクトル曲線Ｌ２０）および青の発光スペクトル（スペクトル曲線Ｌ３０）の例を示す図であり、図１０（ｂ）は図１０（ａ）に示す３色の発光スペクトルを合成して得られる発光スペクトル（スペクトル曲線Ｌ９０）を示す図である。以下、図１０（ａ）および（ｂ）に示す発光スペクトルを基本スペクトルという。
【００６８】
赤、緑および青の各色と対応する有機機能層１４０毎に、印加する電圧を調節することにより、各色の発光強度（光量）を制御することができる。その結果、３色の発光スペクトルを合成して得られる発光スペクトルの形状を変化させて、面発光部１０を発光させることができる。すなわち、合成後の発光スペクトルが所望の発光スペクトルとなるようにして、面発光部１０を発光させることができる。
【００６９】
図１１は晴れの日の光スペクトルの生成の仕方の例を説明するための図である。図１１に示す各色の発光スペクトル（スペクトル曲線Ｌ１０、Ｌ２０、Ｌ３０）は、図１０（ａ）に示す基本スペクトルと比較して、赤については１．０倍とし、緑についてはおよそ１．１倍とし、青についてはおよそ１．３倍としたものである。このように各色毎に光量の重み付けを変更することにより、晴れの日の光スペクトルに近い発光スペクトル（図１１のスペクトル曲線Ｌ９０）を生成することができる。
【００７０】
図１２は曇りの日の光スペクトルの生成の仕方の例を説明するための図である。図１２に示す各色の発光スペクトル（スペクトル曲線Ｌ１０、Ｌ２０、Ｌ３０）は、図１０（ａ）に示す基本スペクトルと比較して、赤についてはおよそ０．８倍とし、緑についてはおよそ０．９倍とし、青についてはおよそ１．４倍としたものである。このように各色毎に光量の重み付けを変更することにより、曇りの日の光スペクトルに近い発光スペクトル（図１２のスペクトル曲線Ｌ９０）を生成することができる。
【００７１】
図１３は蛍光灯の光スペクトルの生成の仕方の例を説明するための図である。図１３に示す各色の発光スペクトル（スペクトル曲線Ｌ１０、Ｌ２０、Ｌ３０）は、図１０（ａ）に示す基本スペクトルと比較して、赤についてはおよそ０．６倍とし、緑についてはおよそ０．９倍とし、青についてはおよそ０．６倍としたものである。このように各色毎に光量の重み付けを変更することにより、蛍光灯の光スペクトルに近い発光スペクトル（図１３のスペクトル曲線Ｌ９０）を生成することができる。
【００７２】
図１４は白熱灯の光スペクトルの生成の仕方の例を説明するための図である。図１４に示す各色の発光スペクトル（スペクトル曲線Ｌ１０、Ｌ２０、Ｌ３０）は、図１０（ａ）に示す基本スペクトルと比較して、赤については１．０倍とし、緑についてはおよそ０．９倍とし、青についてはおよそ０．７倍としたものである。このように各色毎に光量の重み付けを変更することにより、白熱灯の光スペクトルに近い発光スペクトル（図１４のスペクトル曲線Ｌ９０）を生成することができる。
【００７３】
図１５は夕日の光スペクトルの生成の仕方の例を説明するための図である。図１５に示す各色の発光スペクトル（スペクトル曲線Ｌ１０、Ｌ２０、Ｌ３０）は、図１０（ａ）に示す基本スペクトルと比較して、赤については０．８倍とし、緑についてはおよそ０．５倍とし、青についてはおよそ０．２倍としたものである。このように各色毎に光量の重み付けを変更することにより、夕日の光スペクトルに近い発光スペクトル（図１５のスペクトル曲線Ｌ９０）を生成することができる。
【００７４】
なお、図１１〜図１５の各々で説明した各色の発光スペクトルの具体的な重み付けの値は、比視感度により適宜に調節すると良い。
【００７５】
図１６（ａ）は基本スペクトルに対する各光スペクトルにおける各色の光量の重み付け（比率）を示す図である。図１６（ｂ）は各種の光スペクトルを生成するための各色の光量の重み付け等を示す図である。
【００７６】
図１６（ａ）には、図１０（ａ）に示す基本スペクトルにおける各色（Ｒ（赤）、Ｇ（緑）、Ｂ（青））の光量が示されるとともに、図１１〜図１５で説明した晴れ、曇り、蛍光灯、白熱灯および夕日の光スペクトルを生成するための各色の光量の重み付け（比率）が示されている。これらの値は、ルックアップテーブルとして予め記憶部６１に記憶保持されているか、又は、メモリーカード５００内に記憶保持されている。なお、制御部６０は、メモリーカード５００がメモリーカードＩ／Ｆ６２に接続された状態で、メモリーカード５００に記憶されている情報を読み取ることができる。
【００７７】
同様に、図１６（ｂ）には、基本スペクトルにおける各色（Ｒ（赤）、Ｇ（緑）、Ｂ（青））の光量と、晴れ、曇り、蛍光灯、白熱灯および夕日の光スペクトルを生成するための各色の光量の重み付けが示されている。更に、図１６（ｂ）には、各光スペクトルと対応する温度および湿度についても示されている。このように、各光スペクトルに、温度および湿度も対応させたデータを、ルックアップテーブルとして記憶部６１又はメモリーカード５００に記憶保持していても良い。これにより、指定条件の指定により、領域３０内の温度および湿度の調節も可能となる。
【００７８】
その他に、ユーザが頻繁に出かける場所（砂浜（図１６（ａ）、（ｂ）の「砂浜」）、雪がある場所（図１６（ａ）、（ｂ）の「雪」、スキー場など）の光スペクトルを生成するための各色の光量の重み付け値（図１６（ａ）に示すａ、ｂ、ｃ、ｄ、ｅ、ｆ、ｇ、ｈ、ｉ等の値や、図１６（ｂ）に示すＡ、Ｂ、Ｃ、Ｄ、Ｅ、Ｆ、Ｇ、Ｈ、Ｉ等の値）についても、追加で登録できるようになっていても良い。例えば、予めデジタルカメラ等を用いて撮像したそれらの場所の画像データから、ＲＧＢ配分（赤、緑、青の光量の比率）を算出して、記憶部６１又はメモリーカード５００に記憶させる。また、温度および湿度のデータについても、併せて登録できるようになっていても良い。
【００７９】
例えば、ユーザが操作パネル７０を操作して、ルックアップテーブルの先頭列の何れか（晴れ、曇り、蛍光灯等）を選択するための操作（図９（ｃ）の照明モード選択ボタン１８１〜１８６等）を選択する操作）を行うことによって、制御部６０は、その先頭列と対応する情報（重み付け値、温度、湿度等）を抽出する。そして、制御部６０は、この抽出した情報に応じて、発光制御部２０および空調制御部４１等を制御する。なお、ルックアップテーブルのインデックスとしては、図１６（ａ）および（ｂ）に示すような文字列からなるインデックス（先頭行）に限らず、単なる番号等の、より情報量の小さいものを用いても良い。
【００８０】
上記においては、面発光部１０が赤、緑、および青の３色の発光色の組み合わせで発光する例を説明したが、面発光部１０をより多くの発光色の組み合わせで発光させることにより、より正確に様々な光スペクトルを生成することができる。
【００８１】
図１７（ａ）は有機ＥＬ素子の赤、黄、緑、青緑および青の発光スペクトルの例を示す図であり、図１７（ｂ）は図１７（ａ）に示す５色の発光スペクトルを合成して得られる発光スペクトルを示す図である。黄色の発光スペクトルが追加されることにより、赤と緑との間の波長帯の光量の設定の自由度が高まる。同様に、青緑の発光スペクトルが追加されることにより、緑と青との間の波長帯の光量の設定の自由度が高まる。
【００８２】
ここで、動作の一例として、スキーウエアの試着時の動作を説明する。
この場合、ユーザは、操作パネル７０に対する入力操作により、「スキー場」と指定条件を指定する。すると、制御部６０は、例えば、図１６（ａ）または図１６（ｂ）に示すルックアップテーブルからスキー場のデータを抽出する。そして、制御部６０は、抽出したデータに示される重み付け値等に基づいて各面発光部１０を発光させるように、発光制御部２０に指令を行う。その結果、各面発光部１０は、指定された指定条件に応じた発光態様で発光する。このとき、すべての面発光部１０を同じ発光態様で発光させても良いが、雪面特有の下からの照り返しを再現できるように、床面に配置された面発光部１０ａの光量を、側面に配置された面発光部１０の光量よりも多くすることが挙げられる。照り返しのよりリアルな再現の仕方としては、ユーザを基準として一方の斜め上方（例えば右上）に局所的な照明部（図４の照明部１１等）を形成し、その反対側（例えば左下）の面発光部１０を消灯し、一方の斜め下（例えば右下）に局所的な照明部（図４の照明部１１等）を形成することが挙げられる。また、側面に配置された面発光部１０には、スキー場の画像を表示しても良い。さらに、領域３０の気温が低下し、湿度が低下するように、空調機構４０を制御しても良い。これにより、ユーザはスキーウエアの防寒性能などを確認することができる。更には、領域３０内で面発光部１０の表示や温度制御などにより演出されるシチュエーションに応じた音声（ＢＧＭ）をスピーカ（図示略）から出力するようにしても良い。これにより、ユーザの購買意欲を高める演出が可能である。この例では、例えば、スキー板で雪面を滑る音声を領域３０に流す（領域３０に放音する）ことが挙げられる。さらにはスキーにまつわる曲を流すのも購買意欲をかき立てるのに効果を奏する。
【００８３】
また、動作の他の一例として、夏服の試着時の動作を説明する。この場合、ユーザは、操作パネル７０に対する入力操作により、「砂浜」と指定条件を指定する。すると、制御部６０は、例えば、図１６（ａ）または図１６（ｂ）に示すルックアップテーブルから砂浜のデータを抽出し、その抽出したデータに示される重み付け値等に基づいて各面発光部１０を発光させるように、発光制御部２０に指令を行う。その結果、各面発光部１０は、指定された指定条件に応じた発光態様で発光する。このとき、例えば、砂浜特有の下からの照り返しを再現できるように、床面に配置された面発光部１０ａの光量を、側面に配置された面発光部１０の光量よりも多くすることができる。また、側面に配置された面発光部１０には、海岸の画像を表示しても良い。さらに、領域３０の気温および湿度が上昇するように、空調機構４０を制御しても良い。これにより、ユーザは、夏服の汗の速乾性作用や肌触りの涼しさの程度を確認することができる。更には、ＢＧＭで波の音声等を領域３０に流すことも有効である。さらには夏の海にまつわる曲を流すのも購買意欲をかき立てるのに効果を奏する。
【００８４】
なお、面発光部１０の発光態様や領域３０の温度、湿度の設定値については、操作端末２００に対する操作などによりユーザが自由に選択できる他、インターネット等から情報を取得するようにすることもできる。
【００８５】
以下、インターネット通信により取得した情報に基づいて、面発光部１０の発光態様や領域３０の温度制御等を行う場合の動作例を説明する。
【００８６】
例えば、ユーザが操作パネル７０を操作して本日の外出場所および時間（時刻）を入力することにより、インターネットからその場所の予想気温、予想天気（晴れ、曇り、雨等）、予想湿度など天候情報を取得し、領域３０をその外出場所に近い状態にすることができる。
【００８７】
図１８はインターネットから取得される地点の天気情報の例を示す図である。例えば、ユーザが朝９時にその外出場所に居る旨を選択する操作を行った場合、発光制御部２０は、曇りと対応する発光スペクトルで面発光部１０を発光させる。同様に、ユーザが１５時にその外出場所に居る旨を選択する操作を行った場合、発光制御部２０は、晴れと対応する発光スペクトルで面発光部１０を発光させる。ここで、予想気温や予想湿度の情報に応じて、領域３０の温度や湿度を調節しても良い。これにより、朝、昼、夜の寒暖差が大きい日の服装の選択を適切に行うことができる。更に、インターネットからその外出場所の画像を取得し、その画像を領域３０の側面の面発光部１０に表示させても良い。
【００８８】
また、個々の時間をユーザが選択するのではなく、自動的に朝、昼、夜などの順番で面発光部１０の発光スペクトルと領域３０の温度および湿度とを時系列的に変化させる（順次に切り替える）制御を行っても良い。この際に、例えば、朝焼けの状況を再現する際にはユーザの右側から赤みを帯びた色の光を照射し、その後、昼間の状況を再現する際にはユーザの上方から白色の光を照射し、その後、夕焼けの状況を再現する際には、ユーザの左側から赤みを帯びた色の光を照射するといったように、ユーザを基準とする光線の向きを時系列的に変化させる制御も可能である。更に詳細には、時系列的な雲の移動やビルの影の移動、照り返しの向きの変化といった細かい状況の変化を、面発光部１０の発光態様を時系列的に変更することによって再現しても良い。
【００８９】
以上、本実施例によれば、上記実施形態と同様に、試着室での衣類や肌などの見え方を、衣類を実際に使用する環境での見え方に近いものとすることなどが可能である。特に、砂浜やゲレンデでの日光の照り返しを試着室内で再現することなども可能である。
【００９０】
ここで、ＬＥＤや蛍光灯などにより面発光部１０を形成して本実施例と同様の発光装置を実現しようとすれば、極めて大がかりな設備が必要となる。これに対し、本実施例では、面発光部１０が有機ＥＬ素子により構成されているので、面発光部１０を容易に薄く、且つ軽く形成することができる。よって、領域３０の容積を十分に確保することができるとともに、既存の試着室に対して容易に設置することができる。
【００９１】
発光装置は、ユーザによる指定条件の入力を受け付ける操作パネル７０を備え、発光制御部２０は、操作パネル７０に入力された指定条件に応じて複数の面発光部１０の発光態様を制御するので、ユーザが所望する指定条件に応じた発光態様で面発光部１０を発光させることができる。
【００９２】
発光装置は、複数の面発光部１０の指定条件を取得する近距離無線通信部９２を備え、発光制御部２０は、近距離無線通信部９２が取得した指定条件に応じて複数の面発光部１０の発光態様を制御するので、ユーザが指定条件を指定しなくても、自動的に指定条件を指定することができ、その指定条件に応じた発光態様で面発光部１０を発光させることができる。
【００９３】
また、発光制御部２０は、複数の面発光部１０のうちの少なくとも何れか１つの面発光部に、指定された指定条件と対応する屋外の風景の画像を表示させるので、あたかも指定された指定条件と対応する風景の中にユーザが居るような雰囲気を醸し出すことができる。
【００９４】
また、発光装置は、領域３０の温度を調節する空調機構４０と、領域３０の温度が指定された指定条件と対応する温度となるように空調機構４０を制御する空調制御部４１と、を備える。これにより、領域３０の温度を指定された指定条件に対応する温度に設定できるので、ユーザは、試着する衣類の視覚的ではない機能的な価値を容易に判断することができる。
【００９５】
また、例えば、領域３０の底面と、天面と、４つの側面のうち３つ以上と、に沿って面発光部１０をそれぞれ配置し、発光制御部２０は、底面と天面とに沿ってそれぞれ配置された面発光部１０ａ、１０ｂにより領域３０内を照明させ、側面に沿ってそれぞれ配置された面発光部１０には画像を表示させる。この場合、領域３０のユーザを上下から照明することができるので、上方から日光が照射されるとともに、下方からの照り返しがあるような環境での衣類や肌などの見え方を容易に再現することができる。
【００９６】
また、近距離無線通信部９２は、衣類に付されたＩＣタグ４００から当該衣類と対応する指定条件を読み取るか、又は、衣類と対応する指定条件を判定するための判定用情報をＩＣタグ４００から読み取るので、ＩＣタグ４００を用いて商品管理を行う売り場において、領域３０に商品を持ち込むだけで、容易に指定条件を指定することができる。
【００９７】
なお、ＩＣタグ４００に限らず、紙やプラスチックシートのタグから指定条件又は判定用情報を読み取るようにしても良い。この場合、タグに印字されたバーコードその他の情報が、指定条件を示す情報又は判定用情報を含むようにしておき、それらの情報をバーコード読み取り機又はその他の光学的情報読取装置により読み取らせると良い。
【００９８】
以上、図面を参照して実施形態及び実施例について述べたが、これらは本発明の例示であり、上記以外の様々な構成を採用することもできる。
【００９９】
例えば、上記においては、指定条件を指定する（選択する）手法として、ユーザが指定条件の入力操作を行う例や、衣類のタグから指定条件等を読み取る例を説明したが、指定条件を指定する手法はこれらの例に限らない。
例えば、顔認証で年齢および性別を自動的に判断して指定条件を選択するようにしても良い。この場合、笑顔や凛々しい顔など、その時々のその人の気分（様子）も判断して指定条件を選択するようにしても良い。この場合、制御部６０は、例えば、表情のパターンと指定条件とが対応付けられたルックアップテーブルを参照することにより、指定条件を選択する。
また、衣類の色や形を画像認識により自動的に判定し、その判定結果に応じて、指定条件を選択するようにしても良い。この場合、制御部６０は、例えば、衣類の色や形と指定条件とが対応付けられたルックアップテーブルを参照することにより、指定条件を選択する。
或いは、ユーザが指定条件を声で指定するようにしても良い。この場合、制御部６０は、ユーザの声による指示内容を音声認識により自動的に読解する。そして、制御部６０は、指示内容と指定条件とが対応付けられたルックアップテーブルを参照することにより、指定条件を選択する。
【符号の説明】
【０１００】
４ ユーザ（人）
１０、１０ａ、１０ｂ、１０ｃ、１０ｄ、１０ｅ、１０ｆ 面発光部
２０ 発光制御部
３０ 領域
４０ 空調機構
４１ 空調制御部（温度制御部）
６０ 制御部
６１ 記憶部（画像記憶部、温度記憶部）
７０ 操作パネル（入力部）
９２ 近距離無線通信部（取得部）
４００ ＩＣタグ（タグ）
５００ メモリーカード（画像記憶部、温度記憶部）
【図１】
2014116245.tif 000003
【図２】
2014116245.tif 000004
【図３】
2014116245.tif 000005
【図４】
2014116245.tif 000006
【図５】
2014116245.tif 000007
【図６】
2014116245.tif 000008
【図７】
2014116245.tif 000009
【図８】
2014116245.tif 000010
【図９】
2014116245.tif 000011
【図１０】
2014116245.tif 000012
【図１１】
2014116245.tif 000013
【図１２】
2014116245.tif 000014
【図１３】
2014116245.tif 000015
【図１４】
2014116245.tif 000016
【図１５】
2014116245.tif 000017
【図１６】
2014116245.tif 000018
【図１７】
2014116245.tif 000019
【図１８】
2014116245.tif 000020